(57)【要約】【課題】微小栓子検出の作業や操作を簡素化することができ、検査のための患者の負担を大幅に低減することのできる超音波栓子検出装置を提供する。【解決手段】検査対象の曲面状表面に貼り付け可能な柔軟性を備えた薄板状の超音波プローブ２と、超音波プローブを駆動して超音波を照射させる超音波駆動部３と、超音波プローブによって検出された信号を処理して、反射波の周波数偏移と強度を求めドップラ信号として出力するドップラ信号処理部４と、ドップラ信号により血液とともに移動する微小粒子の存在を微小栓子として判別する栓子判別部７とを有する。そして、超音波プローブは、超音波放射面が１５ｍｍ×２５ｍｍ以上の広範囲に配置され、超音波を拡散して放射するものであるとともに、超音波放射の深さ方向に関しても、超音波を特定の深さ位置に集中させることなく深さ５〜３００ｍｍの範囲からのドップラ信号を検出可能なものである。【選択図】図１
2014168603.tif 000002
【特許請求の範囲】
【請求項１】
検査対象（１２）の曲面状表面に貼り付け可能な柔軟性を備えた薄板状であり、前記検査対象（１２）に超音波を照射するとともに前記検査対象（１２）によって反射された超音波を検出する超音波プローブ（２）と、
前記超音波プローブ（２）を駆動して超音波を照射させる超音波駆動部（３）と、
前記超音波プローブ（２）によって検出された信号を処理して、反射波の周波数偏移と強度を求めドップラ信号として出力するドップラ信号処理部（４）と、
前記ドップラ信号により血液とともに移動する微小粒子の存在を微小栓子として判別する栓子判別部（７）とを有し、
前記超音波プローブ（２）は、超音波放射面が１５ｍｍ×２５ｍｍ以上の広範囲に配置され、超音波を拡散して放射するものであるとともに、超音波放射の深さ方向に関しても、超音波を特定の深さ位置に集中させることなく深さ５〜３００ｍｍの範囲からのドップラ信号を検出可能なものである超音波栓子検出装置。
【請求項２】
請求項１に記載した栓子検出装置であって、
前記栓子判別部（７）は、血管中を流れる血液によるドップラ信号とは異なる周波数および強度であって持続時間が３０〜３００ミリ秒のドップラ信号により前記微小栓子の存在を判別するものである超音波栓子検出装置。
【請求項３】
請求項２に記載した超音波栓子検出装置であって、
前記栓子判別部（７）は、所定時間あたりの前記微小栓子の検出数を計数するものであり、
前記栓子判別部（７）の前記微小栓子の計数値を表示する表示部（１０）を有する超音波栓子検出装置。
【請求項４】
請求項１〜３のいずれか１項に記載した超音波栓子検出装置であって、
前記超音波プローブ（２）は、超音波を拡散させる音響レンズ（２６）を配置可能なものである超音波栓子検出装置。
【請求項５】
請求項１〜４のいずれか１項に記載した超音波栓子検出装置であって、
前記超音波プローブ（２）は、超音波の照射方向を設定する角度設定部材（２５）を配置可能なものである超音波栓子検出装置。
【請求項６】
請求項１〜５のいずれか１項に記載した超音波栓子検出装置であって、
前記超音波プローブ（２）は、冷却手段（２３）を備えたものである超音波栓子検出装置。
【発明の詳細な説明】
【技術分野】
【０００１】
この発明は、生体に対して超音波を照射して、血管中を流れる微小栓子を検出する装置に関するものであり、さらに詳しくは、微小栓子検出のための作業や操作を簡素化することができ、微小栓子の検査や監視のための患者の負担を大幅に低減することのできる超音波栓子検出装置に関するものである。
【背景技術】
【０００２】
脳梗塞等の血栓塞栓症の発症リスクと血管中を流れる微小栓子（塞栓症を引き起こす血栓と組成が同様の微小粒子）の検出頻度との間には強い相関関係があることが知られている。すなわち、血管中を流れる微小栓子を検出できれば、脳梗塞等の予防医療に応用できる。現状では、脳梗塞に関わる微小栓子の検出は経頭蓋超音波ドップラ法によって行われている。経頭蓋超音波ドップラ法による超音波装置としては、下記の特許文献１のようなものがある。特許文献１には、頭蓋骨を経由して脳内の血管に超音波を照射し、血流をモニタするとともに血栓溶解効果を増強するようにした超音波装置が記載されている。
【０００３】
また、下記の特許文献２には、血流を監視するためのパルスドップラ超音波システムおよびそれに関連する方法が記載されている。このシステムおよび方法では、表示部として深度モードディスプレイとスペクトログラムディスプレイを同時に表示するものである。このシステムおよび方法は、硬質の超音波プローブを使用するものであり、血流の位置や方向などをディスプレイ上に多色で表示するようにしたものである。そして、このようなシステムにより、頭蓋骨を経由して脳内の血管に超音波を照射し、血流をモニタすることも記載されている。
【０００４】
このような経頭蓋超音波ドップラ法によって中大脳動脈に焦点を合わせて超音波を照射し、ドップラ信号波形を信号処理することによって、血流中の微小栓子の特徴を抽出・計数するのである。ドップラ信号は３０分間から１時間連続して記録され、その記録中から微小栓子を示す信号を人間が判断して計数しているのが実情である。このように、１本の血管に対して最低３０分間の検査時間が必要であり、また、微小栓子の判別や計数にも人間が関与しているため、検査には微小栓子の検出に熟練した検査員が必要となる。
【先行技術文献】
【特許文献】
【０００５】
【特許文献１】特開２００４−１５４２０５号公報
【特許文献２】特表２００２‐５２９１３４号公報
【発明の概要】
【発明が解決しようとする課題】
【０００６】
前述のような経頭蓋超音波ドップラ法と同様に、１本の血管に焦点を合わせて超音波を照射して行う微小栓子の検出は、１本の血管に対して最低３０分間必要であるため、例えば６本の血管に対して検査を行うには合計３時間以上の長時間の検査となってしまい、患者にとっては大きな負担となってしまう。また、微小栓子の判別や計数にも熟練した検査員が必要となるため、検査のためのコストも増大してしまう。
【０００７】
さらに、経頭蓋超音波ドップラ法では、頭蓋骨を経由して超音波を照射するため、基本的に微小栓子の検出率が低下してしまうという問題点がある。このため、経頭蓋超音波ドップラ法では、骨の厚さが薄く超音波の吸収・反射が比較的少ない側頭骨の部分（こめかみ）にプローブを配置して検査を行っている。しかし、側頭骨の厚さは人種、年齢、性別によっても差があり、日本人は西欧人に比べて側頭骨が厚い。高齢の女性ではさらに側頭骨が厚くなる傾向がある。このため、特に日本人に対しては、経頭蓋超音波ドップラ法は適した検査方法とは言えない。
【０００８】
また、経頭蓋超音波ドップラ法では、プローブを側頭骨の所定位置に長時間固定しておかなければならず、そのための特殊な固定具なども必要になる。検査を受ける患者も自由に身動きができず、長時間の固定した姿勢を強いられることになるため、患者の負担が大きい。
【０００９】
そこで、本発明は、微小栓子検出のための作業や操作を簡素化することができ、微小栓子の検査や監視のための患者の負担を大幅に低減することのできる超音波栓子検出装置を提供することを目的とする。
【課題を解決するための手段】
【００１０】
上記目的を達成するために、本発明の超音波栓子検出装置は、検査対象の曲面状表面に貼り付け可能な柔軟性を備えた薄板状であり、前記検査対象に超音波を照射するとともに前記検査対象によって反射された超音波を検出する超音波プローブと、前記超音波プローブを駆動して超音波を照射させる超音波駆動部と、前記超音波プローブによって検出された信号を処理して、反射波の周波数偏移と強度を求めドップラ信号として出力するドップラ信号処理部と、前記ドップラ信号により血液とともに移動する微小粒子の存在を微小栓子として判別する栓子判別部とを有する。そして、前記超音波プローブは、超音波放射面が１５ｍｍ×２５ｍｍ以上の広範囲に配置され、超音波を拡散して放射するものであるとともに、超音波放射の深さ方向に関しても、超音波を特定の深さ位置に集中させることなく深さ５〜３００ｍｍの範囲からのドップラ信号を検出可能なものである。
【００１１】
また、上記の栓子検出装置において、前記栓子判別部は、血管中を流れる血液によるドップラ信号とは異なる周波数および強度であって持続時間が３０〜３００ミリ秒のドップラ信号により前記微小栓子の存在を判別するものであることが好ましい。
【００１２】
また、上記の超音波栓子検出装置において、前記栓子判別部は、所定時間あたりの前記微小栓子の検出数を計数するものであり、前記栓子判別部の前記微小栓子の計数値を表示する表示部を有することが好ましい。
【００１３】
また、上記の超音波栓子検出装置において、前記超音波プローブは、超音波を拡散させる音響レンズを配置可能なものであることが好ましい。
【００１４】
また、上記の超音波栓子検出装置において、前記超音波プローブは、超音波の照射方向を設定する角度設定部材を配置可能なものであることが好ましい。
【００１５】
また、上記の超音波栓子検出装置において、前記超音波プローブは、冷却手段を備えたものであることが好ましい。
【発明の効果】
【００１６】
本発明は、以上のように構成されているので、以下のような効果を奏する。
【００１７】
本発明の超音波栓子検出装置により、複数の血管に対する微小栓子の検査や監視を同時に行うことができる。これにより、複数の血管に対する微小栓子の検査時間を大幅に短縮することができ、患者に対する負担を大幅に軽減することができる。また、超音波プローブの固定方法も検査位置に超音波プローブを貼り付けるだけであり、プローブ固定のための特殊な固定具などは不要であり、検査のためのプローブ固定作業も簡素化される。
【００１８】
以上のことから、微小栓子の検査のための、人的コスト、時間的コスト、費用的コストを大幅に低減することができ、微小栓子の検査を広く普及させることが可能となる。これにより、脳梗塞等の血栓塞栓症の予防医療としても多大の効果を発揮することとなる。
【図面の簡単な説明】
【００１９】
【図１】図１は、本発明の超音波栓子検出装置１の全体構成を示すブロック図である。
【図２】図２は、超音波栓子検出装置１の使用状態を示す図である。
【図３】図３は、超音波栓子検出装置１の別の使用態様を示す図である。
【図４】図４は、超音波プローブ２を検査対象に貼り付けた状態を示す断面図である。
【図５】図５は、超音波プローブ２に角度設定部材２５を配置した状態を示す図である。
【図６】図６は、超音波プローブ２に音響レンズ２６を配置した状態を示す図である。
【発明を実施するための形態】
【００２０】
本発明の実施の形態について図面を参照して説明する。図１は、本発明の超音波栓子検出装置１の全体構成を示すブロック図である。また、図２は、超音波栓子検出装置１の使用状態を示す図である。ここでは検査対象１２は患者の頸部であるとする。超音波プローブ２は、検査対象１２の内部に向けて超音波を照射し、そして、検査対象１２の内部構造や血流によって反射された超音波を検出するものである。
【００２１】
超音波プローブ２は、全体が柔軟な薄い平板状であり、図２に示すように、検査対象１２の表面に貼り付けられて使用される。超音波プローブ２は、その柔軟性により生体等の不規則な曲面に対しても密着して貼り付けることができる。超音波プローブ２の詳しい構造については後に説明する。
【００２２】
超音波プローブ２は、超音波栓子検出装置１の本体にケーブルを介して接続される。そして、超音波プローブ２は、検査対象１２の表面に接着剤や粘着剤により貼り付けられて使用される。送信信号作成部９は、超音波プローブ２から照射する超音波に相当する電気的な送信信号を作成して送受信回路３に出力する。
【００２３】
送信信号の周波数は１ＭＨｚ〜２０ＭＨｚの領域内であることが好ましく、例えば、２ＭＨｚ程度とすることができる。送信信号は連続波でもよいし、不連続波（バースト波）としてもよい。送受信回路３は、送信信号作成部９からの送信信号により超音波プローブ２内の超音波振動子２２（図４参照）を駆動して、超音波を検査対象１２に照射する。したがって、超音波プローブ２から照射される超音波も、送信信号の形態に応じて連続波または不連続波となる。
【００２４】
また、超音波振動子２２は圧電素子を使用するものであり、圧電センサーとしても使用することができる。したがって、検査対象１２の内部構造や血流によって反射された超音波を超音波振動子２２によって検出することができる。超音波振動子２２は超音波と電圧の変換効率の高い周波数領域（高感度領域）を使用することが好ましい。すなわち、照射する超音波の周波数がこの高感度領域に含まれていることが望ましい。
【００２５】
送受信回路３は、超音波振動子２２によって検出した超音波の反射波信号を増幅してドップラ信号処理部４に出力する。すなわち、送受信回路３は超音波駆動部としても、また、反射超音波の信号を受信して増幅する受信部としても動作する。
【００２６】
なお、送受信回路３による超音波振動子２２の駆動は、前述のように、連続的な超音波としてもよいし、不連続な超音波（バースト波）としてもよい。照射する超音波がバースト波の場合は、送信信号の休止時間中に反射波を受信することができ、送信信号と受信信号の分離を効率的に行うことができる。この場合、送受信回路３の送信動作と受信動作の切り換え等は装置制御部５からの制御信号によって行われる。
【００２７】
ドップラ信号処理部４は、送受信回路３からの反射波信号から反射波の周波数偏移と強度を求め、これらの情報をドップラ信号として装置制御部５に出力する。装置制御部５は超音波栓子検出装置１の全体の制御を行っている。まず、装置制御部５は、送信信号作成部９や送受信回路３に制御信号を送り、超音波の送信周波数、送信波形、送信タイミング、受信タイミング等を制御している。
【００２８】
また、装置制御部５は、ドップラ信号処理部４からのドップラ信号を記録部６に送出する。記録部６ではこのドップラ信号を固定ディスク装置等に時系列的に記録する。装置制御部５はドップラ信号を出力制御部８にも送出している。出力制御部８は、このドップラ信号を周波数領域での強度分布や時間軸上の強度変化として表示部１０に表示することができる。また、出力制御部８は、ドップラ信号を可聴域の音声信号に変換し、音声出力部１１から音声信号として出力することができる。
【００２９】
出力制御部８は、現在受信中のドップラ信号を表示部１０および音声出力部１１に出力することもできるが、記録部６に記録された過去のドップラ信号を出力することもできる。出力対象とするドップラ信号およびその出力形態は超音波栓子検出装置１の操作者が適宜選択することができる。
【００３０】
さらに、装置制御部５はドップラ信号を栓子判別部７にも送出している。栓子判別部７は、ドップラ信号から血液とともに移動する微小栓子（塞栓症を引き起こす血栓と組成が同様の微小粒子）の存在を判別する。微小栓子は血管中を血液とともに移動するが、移動速度は血液よりもやや遅い。ただし、微小栓子による超音波の反射強度は血液による反射強度より強い。また、そのような微小栓子による反射波の持続時間は３０〜３００ミリ秒程度である。すなわち、微小栓子によるドップラ信号は、周波数偏移（ドップラシフト）が血液による周波数偏移よりやや小さく、強度は血液による信号より強く、持続時間は３０〜３００ミリ秒程度である。
【００３１】
栓子判別部７は、このような条件に適合するドップラ信号を検出すると、それを微小栓子として判別する。そして、微小栓子を判別する度に微小栓子として計数加算し、その計数値を保持する。栓子判別部７は、所定時間（例えば、３０分間）における微小栓子の計数値を出力制御部８に送出する。出力制御部８は、この微小栓子の計数値を表示部１０に表示する。
【００３２】
栓子判別部７は、現在受信中のドップラ信号に対して微小栓子の判別と計数を行うことができるが、記録部６に記録された過去のドップラ信号に対して微小栓子の判別と計数を行うこともできる。どのドップラ信号を微小栓子の判別対象および計数対象とするかは超音波栓子検出装置１の操作者が適宜選択することができる。
【００３３】
超音波プローブ２は、全体が柔軟な薄い平板状であり、図２に示すように検査対象１２の表面に貼り付けられて使用される。また、超音波プローブ２は、超音波放射面が１５ｍｍ×２５ｍｍ以上の広範囲に配置され、超音波を拡散して放射するものである。図２の例では、超音波プローブ２は縦：約２０ｍｍ、横：約８０ｍｍ、厚さ：約２ｍｍの大きさである。図２の超音波プローブ２の超音波放射面はほぼ２０ｍｍ×８０ｍｍの広さである。
【００３４】
超音波プローブ２は超音波を拡散して放射するものであり、超音波照射範囲内の全ての血管について微小栓子の検出が可能である。本発明は、従来のように特定の血管に焦点を合わせて微小栓子の検出を行うものではない。図２の例では、一つの超音波プローブ２により、頸部内の主要な血管（左右の総頸動脈、椎骨動脈、頸静脈）の６本全てについて同時に微小栓子の検出を行うことができる。
【００３５】
したがって、頸部内の主要な血管の６本全てについての検査を３０分程度で完了することができる。従来の検査方法では６本の血管で合計３時間以上の検査時間となってしまっていたので、本発明によって患者に対する負担が大幅に軽減される。また、超音波プローブの固定方法も検査位置に超音波プローブを貼り付けるだけであり、プローブ固定のための特殊な固定具などは不要であり、検査のためのプローブ固定作業も簡素化される。
【００３６】
図３は、超音波栓子検出装置１の別の使用態様を示す図である。ここでは超音波栓子検出装置１に二つの超音波プローブ２を接続して、微小栓子の検出を行うようにしたものである。頸部の主要な血管（総頸動脈、椎骨動脈、頸静脈）は頸部の左右にそれぞれ存在（図４参照）しており、一つの超音波プローブにより全ての血管を同時に検査するには、横の長さが長い超音波プローブが必要となる。
【００３７】
図３に示すように、二つの超音波プローブ２を使用すれば、それぞれの超音波プローブ２の長さは図２のものよりも短くすることができる。図３に示す例で、超音波プローブ２は、縦：約２０ｍｍ、横：約４０ｍｍ、厚さ：約２ｍｍの大きさである。図３の超音波プローブ２の超音波放射面はほぼ２０ｍｍ×４０ｍｍの広さである。二つの超音波プローブ２は、右側の主要血管を検査するものと、左側の主要血管を検査するものとして、それぞれ検査対象１２の適宜の位置に貼り付けられる。
【００３８】
図４は、超音波プローブ２を検査対象１２に貼り付けた状態を示す断面図である。超音波プローブ２としては、図２のように一つの超音波プローブ２を使用する例を示す。検査対象１２として、患者の頸部の内部組織の断面構造を模式的に示している。総頸動脈１３、椎骨動脈１４、頸静脈１５は、頸部の左右にそれぞれ存在している。また、椎骨動脈１４は椎骨１９の近傍に位置している。椎骨１９によっても超音波は反射されるが、椎骨１９は静止しているため、血管中を移動する血液や微小栓子とは容易に区別できる。
【００３９】
超音波プローブ２は深さ方向に対しても特定の深さ位置に焦点を合わせることなく、深さ５〜３００ｍｍの広範囲の領域の検査を行うものである。超音波は、図４に示す点線で挟まれた領域に照射される。一つの超音波プローブ２により、左右両側の総頸動脈１３、椎骨動脈１４、頸静脈１５の主要血管６本全てについて同時に微小栓子の検出を行うことができる。
【００４０】
図４には超音波プローブ２の断面構造も示されている。超音波プローブ２は、全体形状が薄い平板状であり、全体が湾曲可能なように柔軟性を持たせてある。この超音波プローブ２は生体等の不規則な曲面に対しても密着して貼り付け可能となっている。超音波プローブ２は、使用時には粘着性を有する粘着材料２４によって検査対象１２の表面に貼り付けられる。
【００４１】
超音波プローブ２の柔軟性素材からなるケース２１の内部には薄い平板状の超音波振動子２２が支持されている。超音波振動子２２としては、ポリフッ化ビニリデン（ＰＶＤＦ）、チタン酸ジルコン酸鉛（ＰＺＴ）、１−３コンポジット複合圧電材料などを用いた圧電素子が使用できる。なお、柔軟性の観点からはポリフッ化ビニリデンが好ましい。超音波振動子２２自体が薄い平板状に形成されているため、弾性変形により湾曲させることができ、限度内で湾曲させても超音波振動子２２が損傷することはない。
【００４２】
また、ケース２１の内部には、超音波振動子２２に接触するように冷却媒体２３が封入されており、超音波振動子２２において発生した熱を効率よくケース外に排出し、超音波振動子２２を冷却するようになっている。ここでは、冷却媒体を強制的に循環させるような機構は備えていないが、冷却媒体を強制循環させる機構を設けてさらに効率的に超音波振動子２２を冷却するようにしてもよい。また、プローブ表面をさらに低温に保ちたい場合には、ペルチェ素子などによって超音波振動子２２を冷却するようにしてもよい。
【００４３】
このように、検査時における超音波プローブ２からの発熱は、冷却手段としての冷却媒体２３により効率的にケース２１外に排出される。このため、超音波プローブ２からの発熱による生体への影響は大幅に軽減される。
【００４４】
図５は、超音波プローブ２に角度設定部材２５を配置した状態を示す図である。検査対象１２内部の血管（例えば、頸静脈１５）が検査対象１２の表面とほぼ平行に通っている場合、超音波プローブ２を検査対象１２の表面に直接貼り付けると、ドップラ信号の周波数偏移が検出しにくくなってしまう。ドップラ信号の周波数偏移を検出するためには、超音波の照射方向と移動体の移動方向が直交しないようにする必要がある。
【００４５】
そこで、検査対象１２内部の血管が検査対象１２の表面とほぼ平行に通っているような場合は、検査対象１２に角度設定部材２５を貼り付け、その角度設定部材２５の傾斜面に超音波プローブ２を貼り付けるようにする。角度設定部材２５は、ほぼ三角柱の形状であり、検査対象１２に貼り付けた場合の二つの傾斜面の傾斜角度Ａ，Ｂはそれぞれ異なる角度となっている。この例では、傾斜角度Ａは３０度、傾斜角度Ｂは６０度に設定されている。超音波プローブ２は二つの傾斜面の内、いずれか適する傾斜角度の傾斜面に貼り付けることができる。
【００４６】
角度設定部材２５は、超音波プローブ２の冷却手段としての機能と、超音波プローブ２の発熱を検査対象１２に対して遮断する機能を持たせることもできる。すなわち、角度設定部材２５の検査対象１２への貼り付け面近傍の素材を断熱性の材料として、検査対象１２への熱伝導を遮断することができる。また、超音波プローブ２を貼り付ける傾斜面の近傍は熱伝導の良好な材料として、超音波振動子２２を冷却することができる。
【００４７】
図６は、超音波プローブ２に音響レンズ２６を配置した状態を示す図である。音響レンズ２６は超音波プローブ２から照射される超音波を拡散させるものである。このような音響レンズ２６を超音波プローブ２と検査対象１２との間に配置することにより、超音波プローブ２から照射される超音波はより広い範囲に拡散されることになる。これにより、比較的小型の超音波プローブでも広範囲の領域での微小栓子の検出が可能となる。例えば、図３に示すような２０ｍｍ×４０ｍｍの大きさの超音波プローブを音響レンズと組み合わせることにより、一つの超音波プローブでも頸部の主要な血管６本全部の検査を同時に行うことができるようになる。
【００４８】
以上に説明したような本発明の超音波栓子検出装置により、複数の血管に対する微小栓子の検査や監視を同時に行うことができる。これにより、複数の血管に対する微小栓子の検査時間を大幅に短縮することができ、患者に対する負担を大幅に軽減することができる。また、超音波プローブの固定方法も検査位置に超音波プローブを貼り付けるだけであり、プローブ固定のための特殊な固定具などは不要であり、検査のためのプローブ固定作業も簡素化される。
【００４９】
以上のことから、微小栓子の検査のための、人的コスト、時間的コスト、費用的コストを大幅に低減することができ、微小栓子の検査を広く普及させることが可能となる。これにより、脳梗塞等の血栓塞栓症の予防医療としても多大の効果を発揮することとなる。
【００５０】
なお、以上に説明した実施の形態では、超音波プローブ２内の超音波振動子２２により、超音波の照射と反射波の検出の両方の動作を行うものとしたが、本発明はこのような構成に限定されるものではない。超音波プローブ内に、超音波を照射する超音波振動子と、反射波の検出を行う圧電素子とを別々に設けてもよい。さらには、超音波プローブとして、超音波を照射する部分と、反射波の検出を行う部分を別体に設け、これらの二つの部分をそれぞれ検査対象に貼り付けるようにしてもよい。
【産業上の利用可能性】
【００５１】
本発明によれば、微小栓子検出のための作業や操作を簡素化することができ、微小栓子の検査や監視のための患者の負担を大幅に低減することのできる超音波栓子検出装置を提供できる。
【符号の説明】
【００５２】
１  超音波栓子検出装置
２  超音波プローブ
３  送受信回路
４  ドップラ信号処理部
５  装置制御部
６  記録部
７  栓子判別部
８  出力制御部
９  送信信号作成部
１０  表示部
１１  音声出力部
１２  検査対象
１３  総頸動脈
１４  椎骨動脈
１５  頸静脈
１９  椎骨
２１  ケース
２２  超音波振動子
２３  冷却媒体
２４  粘着材料
２５  角度設定部材
２６  音響レンズ
【図１】
2014168603.tif 000003
【図２】
2014168603.tif 000004
【図３】
2014168603.tif 000005
【図４】
2014168603.tif 000006
【図５】
2014168603.tif 000007
【図６】
2014168603.tif 000008